【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
被加工物から材料を切削する工具であって、
前記被加工物から材料を切削するように構成されるブレードを含み、複数の代替的な使用位置の少なくとも１つに選択的に付勢可能である、少なくとも１つのブレード部材と、
前記少なくとも１つのブレード部材の角度配向に基づいて、複数の代替的な使用位置の少なくとも１つに前記少なくとも１つのブレード部材を選択的に付勢するように構成される、選択付勢デバイスと
を備える、被加工物から材料を切削する工具。
【請求項２】
複数の回転ブレード部材を備える、請求項１に記載の被加工物から材料を切削する工具。
【請求項３】
前記選択付勢デバイスは、選択的に加圧される流体を備える、請求項１に記載の被加工物から材料を切削する工具。
【請求項４】
前記流体の圧力は、前記複数の代替的な使用位置の少なくとも１つのうちのどれに前記少なくとも１つのブレード部材が付勢されるかを制御する、請求項３に記載の被加工物から材料を切削する工具。
【請求項５】
前記複数の代替的な使用位置のうちのどれに前記少なくとも１つのブレード部材が選択的に付勢されるかは、前記加圧流体の圧力に応じて決まる、請求項３に記載の被加工物から材料を切削する工具。
【請求項６】
前記流体圧力は、前記工具の前記角度配向に応じて決まる、請求項３に記載の被加工物から材料を切削する工具。
【請求項７】
前記加圧流体のために構成される導管を含み、
前記導管は、前記加圧流体の流れが前記導管から出ることを可能にするように構成される１つまたは複数のベントを含む、請求項３に記載の被加工物から材料を切削する工具。
【請求項８】
前記工具の前記角度配向に応じて、前記１つまたは複数のベントを選択的に被覆または露出させる手段を備える、請求項７に記載の被加工物から材料を切削する工具。
【請求項９】
前記手段は１つまたは複数のベントブロックを含む、請求項８に記載の被加工物から材料を切削する工具。
【請求項１０】
周面を含み、
前記１つまたは複数のベントは前記工具の前記周面に形成される、請求項７に記載の被加工物から材料を切削する工具。
【請求項１１】
前記ベントの１つまたは複数を選択的に遮断するように構成される部材をさらに備える、請求項１０に記載の被加工物から材料を切削する工具。
【請求項１２】
前記部材は、前記周面に隣接して配置されるスリーブを備える、請求項１１に記載の被加工物から材料を切削する工具。
【請求項１３】
前記スリーブは軸方向に可動である、請求項１２に記載の被加工物から材料を切削する工具。
【請求項１４】
前記部材は少なくとも１つの開口を含み、
前記ベントは、前記少なくとも１つの開口と一致する時は遮断されない、請求項１１に記載の被加工物から材料を切削する工具。
【請求項１５】
前記ブレードにより切削されている間は前記被加工物を少なくとも部分的に支持するように構成される少なくとも１つの支持部材をさらに備える、請求項１に記載の被加工物から材料を切削する工具。
【請求項１６】
さらに、前記付勢デバイスは、前記少なくとも１つの支持部材の角度配向に基づいて、複数の代替的な使用位置の少なくとも１つに前記少なくとも１つの支持部材を選択的に付勢するようにさらに構成される、請求項１に記載の被加工物から材料を切削する工具。
【請求項１７】
被加工物から材料を切削する工具であって、
前記被加工物から材料を切削するように構成されるブレードを含む、少なくとも１つのブレード部材を備え、
前記少なくとも１つのブレード部材は、前記少なくとも１つのブレード部材の角度配向に基づいて、複数の代替的な使用位置の少なくとも１つに対して選択的に加圧される流体により選択的に付勢可能である、被加工物から材料を切削する工具。
【請求項１８】
複数の回転ブレード部材を備える、請求項１７に記載の被加工物から材料を切削する工具。
【請求項１９】
前記流体の圧力は、前記複数の代替的な使用位置の少なくとも１つのうちのどれに前記少なくとも１つのブレード部材が付勢されるかを制御する、請求項１７に記載の被加工物から材料を切削する工具。
【請求項２０】
前記複数の代替的な使用位置のうちのどれに前記少なくとも１つのブレード部材が選択的に付勢されるかは、前記加圧流体の圧力に応じて決まる、請求項１７に記載の被加工物から材料を切削する工具。
【請求項２１】
前記流体圧力は、前記工具の前記角度配向に応じて決まる、請求項１７に記載の被加工物から材料を切削する工具。
【請求項２２】
前記加圧流体のために構成される導管を含み、
前記導管は、前記加圧流体の流れが前記導管から出ることを可能にするように構成される１つまたは複数のベントを含む、請求項１７に記載の被加工物から材料を切削する工具。
【請求項２３】
前記工具の前記角度配向に応じて、前記１つまたは複数のベントを選択的に被覆または露出させる手段を備える、請求項２２に記載の被加工物から材料を切削する工具。
【請求項２４】
前記手段は１つまたは複数のベントブロックを含む、請求項２１に記載の被加工物から材料を切削する工具。
【請求項２５】
周面を含み、
前記１つまたは複数のベントは前記工具の前記周面に形成される、請求項２２に記載の被加工物から材料を切削する工具。
【請求項２６】
前記ベントの１つまたは複数を選択的に遮断するように構成される部材をさらに備える、請求項２５に記載の被加工物から材料を切削する工具。
【請求項２７】
前記部材は、前記周面に隣接して配置されるスリーブを備える、請求項２６に記載の被加工物から材料を切削する工具。
【請求項２８】
前記スリーブは軸方向に可動である、請求項２７に記載の被加工物から材料を切削する工具。
【請求項２９】
前記部材は少なくとも１つの開口を含み、
前記ベントは、前記少なくとも１つの開口と一致する時は遮断されない、請求項２６に記載の被加工物から材料を切削する工具。
【請求項３０】
前記ブレードにより切削されている間は前記被加工物を少なくとも部分的に支持するように構成される少なくとも１つの支持部材をさらに備える、請求項１７に記載の被加工物から材料を切削する工具。
【請求項３１】
さらに、前記少なくとも１つの支持部材は、さらに、前記少なくとも１つの支持部材の角度配向に基づいて、複数の代替的な使用位置の少なくとも１つに対して選択的に加圧される流体により選択的に付勢可能であるように構成される、請求項３０に記載の被加工物から材料を切削する工具。
【請求項３２】
被加工物から材料を切削する工具を使用する方法であって、
ａ．ブレードを含み、複数の代替的な使用位置の少なくとも１つに選択的に付勢可能である少なくとも１つのブレード部材を備える工具を設けるステップと、
ｂ．前記ブレードが前記被加工物から材料を除去するように、前記ブレード部材および前記被加工物を相対的に回転させるステップと、
ｃ．前記被加工物に対する前記少なくとも１つのブレード部材の角度配向に基づいて、複数の代替的な使用位置の少なくとも１つに前記少なくとも１つのブレード部材を選択的に付勢するステップと
を含む、被加工物から材料を切削する工具を使用する方法。
【請求項３３】
前記少なくとも１つのブレード部材を選択的に付勢するために、加圧流体が前記少なくとも１つのブレード部材を圧迫するステップをさらに含む、請求項３２に記載の被加工物から材料を切削する工具を使用する方法。
【請求項３４】
前記被加工物に対する前記少なくとも１つのブレード部材の前記角度配向に基づいて、前記加圧流体の圧力を変化させるステップをさらに含む、請求項３３に記載の被加工物から材料を切削する工具を使用する方法。
【請求項３５】
前記工具は周面を含み、
前記圧力を変化させるステップは、前記周面に形成される複数のベントのいずれかを選択的に被覆および露出させるステップを含む、請求項３４に記載の被加工物から材料を切削する工具を使用する方法。
【手続補正２】
【補正対象書類名】明細書
【補正対象項目名】００１６
【補正方法】変更
【補正の内容】
【００１６】
一実施形態では、複数のベントから成る軸方向に延びる１つの列を工具の周面に配置して、ベントブロックと整列させることにより適当な角度位置で選択的に被覆および露出させて、所望の付勢を行うことができる。このような一実施形態では、図６に概略的に示すように、ベントブロックはトルク停止部２１を有する工具周面の周りに隣接して配置される非回転スリーブ２０であり、適宜構成された対応するベント経路１９を有する。
【手続補正３】
【補正対象書類名】明細書
【補正対象項目名】００７３
【補正方法】変更
【補正の内容】
【００７３】
ブレード側ピストン１１８は、ブレード側導管１１２内にあることが好ましい。ブレード側導管１１２内の加圧冷却および潤滑流体は、ブレード側ピストン１１８をブレードカートリッジ１２２の下部に対して概ね半径方向外方に押し付けることを補助する。ブレードカートリッジ１２２にはスロット１２３が設けられていることが好ましいため、ブレードカートリッジ１２２（および取り付けられているブレード１２６）の下部は、ブレード側ピストン１１８により押されるとＲ’で概ね示す方向に移動する。
【手続補正４】
【補正対象書類名】図面
【補正対象項目名】全図
【補正方法】変更
【補正の内容】
【図１】
2005537144.tif 000001
【図２】
2005537144.tif 000002
【図３Ａ】
2005537144.tif 000003
【図３Ｂ】
2005537144.tif 000004
【図４Ａ】
2005537144.tif 000005
【図４Ｂ】
2005537144.tif 000006
【図４Ｃ】
2005537144.tif 000007
【図４Ｄ】
2005537144.tif 000008
【図４Ｅ】
2005537144.tif 000009
【図５】
2005537144.tif 000010
【図５Ａ】
2005537144.tif 000011
【図６】
2005537144.tif 000012
【図７Ａ】
2005537144.tif 000013
【図７Ｂ】
2005537144.tif 000014
【図８】
2005537144.tif 000015
【図８Ａ】
2005537144.tif 000016
【図９】
2005537144.tif 000017
【図１０】
2005537144.tif 000018
【図１１】
2005537144.tif 000019
【図１２】
2005537144.tif 000020
【図１３】
2005537144.tif 000021
【図１４】
2005537144.tif 000022
【図１５】
2005537144.tif 000023
【図１６】
2005537144.tif 000024
【図１６Ａ】
2005537144.tif 000025
【図１７】
2005537144.tif 000026
【図１８】
2005537144.tif 000027
【図１９】
2005537144.tif 000028
【図２０】
2005537144.tif 000029
【図２１】
2005537144.tif 000030
【図２２】
2005537144.tif 000031
【図２３】
2005537144.tif 000032
【図２４】
2005537144.tif 000033
【図２５】
2005537144.tif 000034
【図２６】
2005537144.tif 000035
【図２７】
2005537144.tif 000036
【図２８】
2005537144.tif 000037
【図２９】
2005537144.tif 000038
【図３０】
2005537144.tif 000039
【図３１】
2005537144.tif 000040
【図３２】
2005537144.tif 000041